(57)【要約】【課題】塊状物、粒状物および粉状物等を搬送するベルトコンベアの片寄り、蛇行調整装置を提供する。【解決手段】ベルトコンベアの片寄り、蛇行を調整する装置において、調整装置吊り用架台を設け、該調整装置吊り用架台にタンパックルを配設し、搬送物の供給側および／または排出側のベルトコンベアフレーム上に該タンパックルにてコンベアロール架台を吊り上げ、ベルトコンベアフレームとコンベアロール架台とに間隔を設け、該コンベアロール架台がベルトの動きに対して円滑に旋回可能としたベルトコンベア片寄り、蛇行調整装置。【選択図】    図２
2004307094.tif 000002
【特許請求の範囲】
【請求項１】
ベルトコンベアの片寄り、蛇行を調整する装置において、調整装置吊り用架台を設け、該調整装置吊り用架台にタンパックルを配設し、搬送物の供給側および／または排出側のベルトコンベアフレーム上に該タンパックルにてコンベアロール架台を吊り上げ、ベルトコンベアフレームとコンベアロール架台とに間隔を設け、該コンベアロール架台がベルトの動きに対して円滑に旋回可能としたことを特徴とするベルトコンベア片寄り、蛇行調整装置。
【請求項２】
請求項１に記載のベルトコンベアフレーム上にコンベアロール支持架台と一体に支持用丸棒を設けたことを特徴とするベルトコンベア片寄り、蛇行調整装置。
【請求項３】
請求項１または２に記載のコンベアロール架台上にストッパーを設けたことを特徴とするベルトコンベア片寄り、蛇行調整装置。
【発明の詳細な説明】
【０００１】
【発明の属する技術分野】
本発明は、塊状物、粒状物および粉状物等を搬送するベルトコンベアの片寄り、蛇行調整装置に関するものである。
【０００２】
【従来の技術】
従来、鉄鉱石のような塊状物、粒状物および粉状物、またはこれらを混合した混合物等の搬送物を連続的に搬送するベルトコンベアは、この搬送物の供給側と排出側との間に搬送ベルトを巻回すことによって構成されている。このようなベルトコンベアによる搬送物の連続作動中に、例えばベルトコンベアフレームの芯狂い、プーリーの芯狂い、ラギング摩耗、ベルトとローラの密着不良、ローラ不転およびベルト劣化、摩耗による張力変化等の要因によって搬送ベルトの供給側または排出側において、搬送ベルトの片寄り、蛇行するという問題が生ずる。さらには、搬送物を供給側のベルトの中央部に供給されずに、ベルトに横力が働き、ベルトの供給側で蛇行が起きてしまうという問題があった。
【０００３】
図４は、従来のベルトコンベアの断面図である。この図４に示すように、ベルトコンベア１は、搬送ベルト２によって塊状物、粒状物および粉状物またはこれらを混合した混合物等の搬送物４を搬送するに当たって、上記問題を解消するために、ベルトコンベアフレーム３とコンベアロール架台５と間に調整用ローラ７を設けるか、または、プーリー芯出し等によってベルトの片寄り、蛇行調整を図ってきた。特に、調整用ローラについては取付け容易なことから幅広く使用されて来た。
【０００４】
しかし、搬送ベルト２によって塊状物、粒状物および粉状物またはこれらを混合した混合物等の搬送物４を搬送するに当たっては、コンベアロール架台５の下には、これらの搬送物４がベルトコンベアの返り粉となり落下し、ある時間経過すると山状に積層物６として堆積される。このような堆積された積層物を放置すると調整用ローラ７の架台の支点がベアリングで構成されていることから、破損したり、ベアリングの近傍にや固着した場合に調整用ローラ７の動きがなくなり、そのために搬送ベルトの片寄り、蛇行を調整することが不可能となるという問題があった。
【０００５】
上述したような問題を解消するために、例えば特開平８−７３０１９号公報（特許文献１）に開示されているような、ベルトの蛇行が生じにくい構造のベルトコンベア装置であって、かつ、組立易くメンテナンスが容易であるベルトコンベア装置と言うことで、ベルトコンベアのキャリヤ側ベルトをトラフ状に支承すべく３本以上のローラを互いに自在継手を介して屈曲自在に連結してキャリヤローラを形成し、該キャリヤローラの両端部を固定系からロープ等を介して吊り下げられた吊りフレームに揺動自在に取り付けたベルトコンベア装置が提案されている。
【０００６】
【引用文献】
（１）特許文献１（特開平８−７３０１９号公報）
【０００７】
【発明が解決しようとする課題】
しかしながら、上記した特許文献１の手段による方法は、確かにコンベアロール架台がベルトの動きに対して円滑に旋回する方法としては優れているものの、ベルトコンベア全長に渡ってギャラリ（固定系）を設け、そのギャラリに吊りフレームを設けると言う大掛かりな架台が必要となり、しかも吊りフレームはワイヤロープによって吊られている関係から不安定となり、かつ、大掛かりな架台のためにコスト高となる等必ずしもメンテナンスが容易なベルトコンベヤ装置と言うことは出来ない。
【０００８】
【課題を解決するための手段】
上述したような問題を解消するために、発明者らは鋭意開発を進めた結果、ベルトコンベアフレーム上に調整装置吊り用架台を設け、該調整装置吊り用架台にタンパックルにてコンベアロール架台を吊り上げ、ベルトコンベアフレームとコンベアロール架台とに間隔を設けて、コンベアロール架台がベルトの動きに対して円滑に旋回可能としたベルトコンベア片寄り、蛇行調整装置を提供するものである。
【０００９】
その発明の要旨とするところは、
（１）ベルトコンベアの片寄り、蛇行を調整する装置において、調整装置吊り用架台を設け、該調整装置吊り用架台にタンパックルを配設し、搬送物の供給側および／または排出側のベルトコンベアフレーム上に該タンパックルにてコンベアロール架台を吊り上げ、ベルトコンベアフレームとコンベアロール架台とに間隔を設け、該コンベアロール架台がベルトの動きに対して円滑に旋回可能としたことを特徴とするベルトコンベア片寄り、蛇行調整装置。
【００１０】
（２）前記（１）に記載のベルトコンベアフレーム上にコンベアロール支持架台と一体に支持用丸棒を設けたことを特徴とするベルトコンベア片寄り、蛇行調整装置。
（３）前記（１）または（２）に記載のコンベアロール架台上にストッパーを設けたことを特徴とするベルトコンベア片寄り、蛇行調整装置にある。
【００１１】
【発明の実施の形態】
以下、本発明について図面に従って詳細に説明する。
図１は、本発明に係るベルトコンベア片寄り、蛇行調整装置の全体概略図である。この図に示すように、ベルトコンベアフレーム３上に調整装置吊り用架台９を設け、この調整装置吊り用架台８にタンパックル９を配設し、このタンパックル９によってコンベアロール架台５を吊り上げ、ベルトコンベアフレーム３とコンベアロール架台５とに間隔を各タンパックル９によって上下方向の高低差を滑らかに調整可能とし、さらに、搬送ベルト２の片寄り、蛇行に当たって、搬送ベルト２の進行方向のズレを防止するために、例えば搬送ベルト２の進行方向手前を高くして搬送ベルト２とローラ１３との密着度を付ける手段や搬送ベルト幅方向をコンベアロール支持架台の支持点として左右に変更を施すことによって搬送ベルト２の片寄り、蛇行を防止するように調整可能とした。しかも、これらの調整は、無負荷で自動的に作動するようにタンパックル９を調整可能とした。
【００１２】
図２は、本発明に係るベルトコンベア片寄り、蛇行調整装置の断面図である。図２（ａ）はコンベアロール架台部の断面図であり、図２（ｂ）はタンパックル部の断面図である。この図２（ａ）に示すように、ベルトコンベアフレーム３上にコンベアロール支持架台１０と一体に支持用丸鋼１１を設け、この支持用丸鋼１１はコンベアロール架台５の中心点のズレを防止するためのものである。また、図２（ｂ）に示すように、ベルトコンベアフレーム３とコンベアロール架台５が圧着しないように、ベルトコンベアフレーム３とコンベアロール架台５間に、例えば３０〜５０ｍｍの間隔を設けた状態で、タンパックル９によってコンベアロール架台５を吊っている状態を示している。なお、符号１２はロール支持体を示す。
【００１３】
図３は、本発明に係るベルトコンベア片寄り、蛇行調整装置の横斜視図である。この図に示すように、ベルトコンベアフレーム３とコンベアロール架台５間に上記したように一定の間隔を設けると共に、このコンベアロール架台５にストッパー１４を設けて、搬送物が連続的に搬送される過程においてベルトが蛇行した場合にもタンパックル９を介してベルトの蛇行を修正するようにコンベアロール架台５が自動的に作動すると共に、ストッパー１４によってベルト自体が持って行かれるのを防止するためのストッパーを設けたものである。
【００１４】
上述したように、搬送物の供給側および／または排出側に調整装置吊り用架台８にタンパックル９を配設し、このタンパックル９によってコンベアロール架台５を吊り上げ、ベルトコンベアフレーム３とコンベアロール架台５間に間隔を設けるように各タンパックル９によってコンベアロール架台５を吊り上げて、コンベアロール架台５がベルトの動きに対して滑らかに旋回するように構成したことから、従来の調整用ローラのようなベアリングで構成されたものに比較して特段に破損や固着によることが減少し、これによってベルトの片寄り、蛇行の調整も容易となった。
【００１５】
【発明の効果】
以上述べたように、本発明により、従来の調整用ローラによるベアリング構成に比較して、よりベルトの片寄り、蛇行の調整が容易となり、かつ破損や固着の減少によるベルト取替え費用の削減、ベルトの耳切れ防止によるベルト寿命の延長が図られると共に設備上のコスト低減を図ることが出来る等極めて優れた効果を奏するものである。
【図面の簡単な説明】
【図１】本発明に係るベルトコンベア片寄り、蛇行調整装置の全体概略図である。
【図２】本発明に係るベルトコンベア片寄り、蛇行調整装置の断面図である。
【図３】本発明に係るベルトコンベア片寄り、蛇行調整装置の横斜視図である。
【図４】従来のベルトコンベアの断面図である。
【符号の説明】
１  ベルトコンベア
２  搬送ベルト
３  ベルトコンベアフレーム
４  搬送物
５  コンベアロール架台
６  積層物
７  調整用ローラ
８  調整装置吊り用架台
９  タンパックル
１０  コンベアロール支持架台
１１  支持用丸鋼
１２  ロール支持体
１３  ローラ
１４  ストッパー
【図１】
2004307094.tif 000003
【図２】
2004307094.tif 000004
【図３】
2004307094.tif 000005
【図４】
2004307094.tif 000006